(57)【要約】【課題】コンパクトな構成で弁体を全閉位置、全開位置、さらには複数の中間開度において固定することができる弁体ロック装置を提供する。【解決手段】弁箱５１の内部に弁棒５２、５３の軸心廻りに回転する弁体５４を有するバタフライ弁において、弁棒５２、５３の一方の端面に軸心方向で対向するロックピン５９を弁箱５１に着脱自在に装着し、弁棒５３の端面にロックピン５９を挿入可能な嵌合孔６０を設け、ロックピン５９および嵌合孔６０を断面形状において多角形状に、かつ軸心廻りで少なくとも９０°間隔で対称をなす形状に形成した。【選択図】    図３
2004218667.tif 000002
【特許請求の範囲】
【請求項１】
弁箱の内部に弁棒の軸心廻りに回転する弁体を有するバタフライ弁において、弁棒の一方の端面に軸心方向で対向するロックピンを弁箱に着脱自在に装着し、弁棒の端面にロックピンを挿入可能な嵌合孔を設け、ロックピンおよび嵌合孔を断面形状において多角形状に、かつ軸心廻りで少なくとも９０°間隔で対称をなす形状に形成したことを特徴とする弁体ロック装置。
【発明の詳細な説明】
【０００１】
【発明の属する技術分野】
本発明は弁体ロック装置に関し、バタフライ弁において所定開度で弁体をロックする技術に係るものである。
【０００２】
【従来の技術】
従来、この種のバタフライ弁には、例えば図５〜図７に示すようなものがあり、弁箱１の内部に弁棒２の軸心廻りに回転する弁体３を配置しており、弁体３は弁棒２の軸心廻りに９０°の範囲で往復動し、全開状態で弁体３が弁箱１の軸心と平行な姿勢となり、全閉状態で弁体３が弁箱１の軸心と直交する姿勢となる。
【０００３】
弁箱１の一側には操作機４を配置しており、操作機４は弁箱１に固定した取付座６に支軸７の軸心廻りに回動自在に装着したシリンダー装置８を有し、弁棒２に一端を固定したレバー９をシリンダー装置８のロッド１０に連結し、レバー９に一対のロック用ブロック１１、１２を設けている。
【０００４】
取付座６に設けた一対の固定装置１３、１４は、図７に示すように、一対の固定用ブロック１１、１２の間に向けて出退するロッキングピン１５と、ロッキングピン１５に形成したキー溝１６ａ、１６ｂに嵌合してロッキングピン１５を軸心方向で係止するキープレート１７を有し、キープレート１７はキー溝１６ａ、１６ｂに嵌合する位置とキー溝１６ａ、１６ｂから離間する位置とにわたって出退自在に配置し、何れかの位置で蝶螺子１８により固定する。
【０００５】
弁体３の開閉操作はシリンダー装置８でレバー９を駆動して弁棒２を回転させることで行う。このとき、固定装置１３、１４は解除状態にある。
図７に示すように、解除状態において固定装置１３、１４のロッキングピン１５は固定用ブロック１１、１２から離間する状態にあり、先方のキー溝１６ｂにキープレート１７を嵌合させてロッキングピン１５を係止し、キープレート１７を蝶螺子１８で固定する。この状態で、ロッキングピン１５はレバー９の移動を阻害しない。
【０００６】
弁体３を全開状態もしくは全閉状態で固定する場合には、固定装置１３、１４を固定状態とする。
図７に二点鎖線で示すように、固定状態においてロック装置１３、１４のロッキングピン１５は固定用ブロック１１、１２の間に突出する状態（図中に）にあり、後方のキー溝１６ａにキープレート１７を嵌合させてロッキングピン１５を係止し、キープレート１７を蝶螺子１８で固定する。この状態で、ロッキングピン１５は固定用ブロック１１、１２に係合してレバー９の移動を阻止する。
【０００７】
図８〜図９に示すバタフライ弁では、弁箱２１の内部に弁棒２２の軸心廻りに回転する弁体２３を配置し、弁箱２１のボス部２４に固定装置２５を介して操作機２６を配置している。固定装置２５は弁棒２２に設けた固定用ブロック２７と、弁棒２２を囲んで配置するスタンド２８に設けたロッキングピン２９とを有し、ロッキングピン２９が固定用ブロック２７に嵌合する位置と離間する位置とにわたって軸心方向に出退する。
【０００８】
弁体２３の開閉操作は操作機２６で弁棒２２を回転させて行う。このとき、固定装置２５のロッキングピン２９は固定用ブロック２７から離間する位置にあり、弁棒２２の回転を阻害しない。弁体３を全開状態もしくは全閉状態で固定する場合には、ロッキングピン２９を固定用ブロック２７の係合孔３０に挿入して弁棒２２を軸心廻りで係止する。
【０００９】
この種のバタフライ弁に係る先行技術としては非特許文献１に記載するものがある。
【００１０】
【非特許文献１】「ＢＵＴＴＥＲＦＬＹ  ＶＡＬＶＥ」  株式会社クボタ製品カタログ  Ｎｏ．２６２３  ２００２年９月１０日発行
【００１１】
【発明が解決しようとする課題】
しかし、上記した何れの構成においても、全閉位置と全開位置の二箇所において固定することができるが、異なる中間開度の複数位置において固定することはできず、先の例の構成において固定位置の数を増加させるためには固定装置の数を増加させることが必要であり、限られたスペースに配置可能な固定装置の数には限界があり、多数の固定装置を設けるためにはレバー等の部材を大きくしてスペースを確保せざるをえず、装置が大型化する問題がある。
【００１２】
後の例の構成において固定位置の数を増加させるためには固定用ブロックに多数の係合孔を設ける必要があり、固定用ブロックに形成可能な係合孔の数には限界があり、係合孔の数を増加させるために固定用ブロックを大きくすると、装置が大型化する問題がある。
【００１３】
本発明は上記した課題を解決するものであり、コンパクトな構成で弁体を全閉位置、全開位置、さらには複数の中間開度において固定することができる弁体ロック装置を提供することを目的とする。
【００１４】
【課題を解決するための手段】
上記課題を解決するために、請求項１に記載する本発明の弁体ロック装置は、弁箱の内部に弁棒の軸心廻りに回転する弁体を有するバタフライ弁において、弁棒の一方の端面に軸心方向で対向するロックピンを弁箱に着脱自在に装着し、弁棒の端面にロックピンを挿入可能な嵌合孔を設け、ロックピンおよび嵌合孔を断面形状において多角形状に、かつ軸心廻りで少なくとも９０°間隔で対称をなす形状に形成したものである。
【００１５】
上記した構成により、ロックピンが嵌合孔から離間する状態において、弁棒が軸心廻りで９０°の範囲で回転することにより、弁体が全閉位置と全開位置とにわたって開閉する。ロックピンを嵌合孔に挿入して双方が嵌合する状態で弁棒および弁体を弁棒の軸心廻りで固定する。ロックピンおよび嵌合孔は断面形状において多角形状に、かつ軸心廻りで少なくとも９０°間隔で対称をなす形状を有するので、例えばロックピンおよび嵌合孔が四角形である場合には、開度０°の全閉位置と開度９０°の全開位置で弁棒を固定することができ、八角形である場合には、開度０°の全閉位置と開度９０°の全開位置および開度４５°の中間開度で弁棒を固定することができる。
【００１６】
【発明の実施の形態】
以下、本発明の実施の形態を図面に基づいて説明する。図１〜図４において、バタフライ弁は弁箱５１の内部に弁棒５２、５３の軸心廻りに回転する弁体５４を配置し、弁体５４の両側に固定装着した弁棒５２、５３を弁箱５１のボス部５５、５６で回転自在に保持している。
【００１７】
弁箱５１の一方のボス部５５には弁棒５２に連結して操作機５７を装着しており、弁箱５１の他方のボス部５６にはカバー５８を装着している。カバー５８には一方の弁棒５３の端面に軸心方向で対向するロックピン５９を着脱自在に装着しており、弁棒５３の端面にロックピン５９を挿入可能な嵌合孔６０を設けている。ロックピン５９および嵌合孔６０は断面形状において多角形状で、かつ軸心廻りで少なくとも９０°間隔で対称をなす形状、例えば四角形、八角形、十六角形をなしている。ロックピン５９はフランジ６１を有し、フランジ６１の螺子孔６２に挿通する固定ボルト６３でカバー５８に着脱自在に固定し、フランジ６１の表裏方向でロックピン５９を反転させることでロックピン５９が嵌合孔６０に嵌合する姿勢と嵌合孔６０から離間する姿勢とに変化する。
【００１８】
以下、上記した構成における作用を説明する。弁体５４の開閉操作は操作機５７で一方の弁棒５２を回転駆動することで、弁体５４および他方の弁棒５３を回転させ、弁棒５３が軸心廻りで９０°の範囲で回転することにより、弁体５４が全閉位置と全開位置とにわたって開閉する。
【００１９】
このとき、ロックピン５９は嵌合孔６０から離間する状態にあり、ロックピン５９がカバー５８の外部へ突出する姿勢でフランジ６１をカバー５８に固定ボルト６３で固定している。
【００２０】
弁棒５２、５３および弁体５４を弁棒５２、５３の軸心廻りで固定する場合には、固定ボルト６３を一旦取り外してロックピン５９をフランジ６１の表裏方向で反転させ、ロックピン５９を嵌合孔６２に挿入して双方が嵌合する状態でフランジ６１をカバー５８に固定ボルト６３で固定する。このロックピン５９と嵌合孔６２の嵌合によって弁棒５２、５３および弁体５４を弁棒５２、５３の軸心廻りで固定する。
【００２１】
ロックピン５９および嵌合孔６０は断面形状において多角形状に、かつ軸心廻りで少なくと９０°間隔で対称をなす形状を有するので、例えばロックピン５９および嵌合孔６０が四角形である場合には、開度０°の全閉位置と開度９０°の全開位置で弁棒５２、５３および弁体５４を固定することができ、八角形である場合には、開度０°の全閉位置と開度９０°の全開位置および開度４５°の中間開度で弁棒５２、５３および弁体５４を固定することができ、十六角形である場合には、開度０°の全閉位置、開度９０°の全開位置、開度２２．５°の中間開度、開度４５°の中間開度、開度６７．５°の中間開度で弁棒５２、５３および弁体５４を固定することができる。
【００２２】
【発明の効果】
以上のように本発明によれば、ロックピンを嵌合孔に挿入して双方が嵌合する状態で弁棒および弁体を弁棒の軸心廻りで固定でき、ロックピンおよび嵌合孔が断面形状において多角形状で、かつ軸心廻りで少なくとも９０°間隔で対称をなす形状を有することで、簡易な構造において弁棒および弁体を全閉位置、全開位置、さらには中間開度で固定することができ、ロックピンおよび嵌合孔の多角形状を変えることで装置の大型化を招くことなく固定位置の開度および数を変更することができる。
【図面の簡単な説明】
【図１】本発明の実施の形態における弁体ロック装置を有するバタフライ弁を示す正面図である。
【図２】同実施の形態におけるバタフライ弁を示す断面図である。
【図３】同実施の形態における弁体ロック装置の解除状態を示す断面図である。
【図４】同実施の形態における弁体ロック装置の固定状態を示す断面図である。
【図５】従来のバタフライ弁を示す正面図である。
【図６】同バタフライ弁の要部を示す側面図である。
【図７】同バタフライ弁の固定装置を示す側面図（ａ）および正面図（ｂ）である。
【図８】従来の他のバタフライ弁を示す正面図である。
【図９】同バタフライ弁の断面図である。
【符号の説明】
５１    弁箱
５２、５３  弁棒
５４    弁体
５５、５６  ボス部
５７    操作機
５８    カバー
５９    ロックピン
６０    嵌合孔
６１    フランジ
６２    螺子孔
６３    固定ボルト
【図１】
2004218667.tif 000003
【図２】
2004218667.tif 000004
【図３】
2004218667.tif 000005
【図４】
2004218667.tif 000006
【図５】
2004218667.tif 000007
【図６】
2004218667.tif 000008
【図７】
2004218667.tif 000009
【図８】
2004218667.tif 000010
【図９】
2004218667.tif 000011